Podtech/llm-jp-corpus-v4-ja_patent huggingface dataset:
(57)【要約】      （修正有）【課題】入れ歯の汚れ、ぬめりを水道水の水流と金属直方体粒子によって除去する入れ歯洗浄機の提供。【解決手段】洗浄容器１の口に網目の蓋２を取付ける。洗浄機の中に汚れた入れ歯３と直方体金属粒子６を入れ、網目の蓋２を通して洗浄容器の中に水道水を注ぎ、回転水流５を発生させ、直方体金属粒子により入れ歯を洗浄し、汚れ、ぬめりを容器外に排出することを特徴とする。【選択図】図２
0003123270.tif 000002
【実用新案登録請求の範囲】
【請求項１】
網目の蓋を装着した洗浄容器の中に適当な大きさの直方体金属粒子と汚れた入れ歯を挿入し、網目の蓋を通して水道水を注ぐことにより、発生した水流によって直方体金属粒子が入れ歯を機械的に洗浄し、汚れ、ぬめりを容器外に排出する構造を持つ入れ歯洗浄機。
【考案の詳細な説明】
【技術分野】
【０００１】本考案は、簡便に入れ歯を洗浄するためのものである。
【背景技術】
【０００２】これまでの技術は泡による洗浄、あるいは音波による洗浄装置等が存在する。
【考案の開示】
【考案が解決しようとする課題】
【０００３】従来の技術では、汚れを浮かせ取れ安くする効果はあっても、ぬめりを取り除く効果まで期待できない。
【問題を解決するための手段】
【０００４】水道水によって、水流を起こし、入れ歯と直方体金属粒子を一緒に回転させることによって、機械的に洗浄する。
【考案の効果】
【０００５】直方体の金属粒子が入れ歯を機械的に洗浄する効果だけでなく、新しく注がれる水道水によって入れ歯に付着していた汚れやぬめりが網目の蓋を通して必然的に外部に排出され、洗い終わった時には汚れ、ぬめりが洗浄容器の中に残らない効果がある。
【考案の実施するための最良の形態】
【０００６】入れ歯が挿入できる大きさの口を持つ洗浄容器の口に直方体金属粒子が流出しない大きさの網目の蓋を装着し、網目を通して水道水を流入させ容器内で水流を起こさせる構造。
【実施例】
【０００７】以下、添付図面に従い一実施例を説明する。適当な大きさのプラスチック容器１の中に汚れた入れ歯３と１．５から２ｍｍ大のアルミニュウム直方体粒子６とを共に入れ、網目の蓋２を装着し、水道水４を流入することにより、水流５が発生し、入れ歯を機械的に洗浄すると共に汚れやぬめりは容器の外に排出される。
【図面の簡単な説明】
【０００８】
【図１】本考案の網目の蓋平面図である。
【図２】本考案の洗浄機の断面図である。
【符号の説明】
【０００９】１は、洗浄容器である。
２は、網目の蓋である。
３は、入れ歯である。
４は、水道水である。
５は、回転水流である。
６は、直方体金属粒子である。
【図１】
0003123270.tif 000003
【図２】
0003123270.tif 000004
(57)【要約】【課題】自動車の排気ガスの低減は、多大な資金と時間を投入しても技術的に解決が困難であるが、電気系統の一部であるシガライターソケットを利用して、電気回路で構成された軽量小型の長方形型ボックスを装着して低減する。【解決手段】電気回路で構成された装置１をシガライターソケット７に接続し、オルタネータ５の発電効率を良くし、バッテリ６の蓄電を増幅安定させる事で、安定した電力の供給と整流効果を付与する事で、エンジン４の始動後の走行に於ける燃料の節減による排気ガス低減装置。【選択図】図２
0003123262.tif 000002
【実用新案登録請求の範囲】
【請求項１】
自動車の運転席前面パネル部中央付近に通常取り付けられているシガライターソケットに、電解コンデンサ、ヒューズ等の電気回路で構成された長方形型のボックスにコードを接続し先端に挿入プラグを取り付けた装置を装着し、エンジン始動後の電気系統に良好な影響を付与し、燃料を低減し得る自動車のシガライターソケットを利用した排出ガス低減装置。
【請求項２】
バッテリに蓄電された電気をシガライターソケットに接続された排気ガス低減装置に一旦蓄えるために、積載されているバッテリの容量により、回路に使用する電解コンデンサの数量が数個から十数個になり、最適の数量を設計し、自動車運転中の電気の安定した供給を付与する。
【考案の詳細な説明】
【技術分野】
【０００１】  本考案は、自動車のエンジン始動後に於ける燃料の節減による排気ガスの低減に関する。
【背景技術】
【０００２】  従来の自動車の排気ガスの低減は、主としてエンジン及びマフラーを主体とした改良によるものであるが、電気系統に作用する機能のものはなかった。【０００３】  シガライターソケット部を利用する簡便なものはなかった。
【考案の開示】
【考案が解決しようとする課題】
【０００４】  自動車の燃料を節減し、排気ガス低減に寄与する器具の改良には、莫大な投資と時間を必要とし、現状では必ずしも満足のいく改良がなされていない。
【課題を解決するための手段】
【０００５】  本考案は、自動車のエンジン始動後にオルタネータで発電された電気が、バッテリに蓄電され電気系統を通じて各電装品や点火パーツに供給されるが、その中のシガライターソケットに電気回路で構成された蓄電機能を持つ装置の差し込みプラグを挿入する事で接続し、大容量の電力の供給と整流効果を可能にし、電圧を増幅安定させるものである。
【考案の効果】
【０００６】  上述の様に本考案の自動車のシガライターソケットを利用した排気ガス低減装置は軽量、簡便に装着できる。これによってオルタネータとバッテリに電気的な相乗効果をもたらし、自動車のエンジンの作動が良好になり、燃焼効率が高まるため、排気ガスの低減になる。
【考案を実施するための最良の形態】
【０００７】  以下、本考案の実施形態を図１〜図２に基づいて説明する。【０００８】  図１、及び図２に於いて、１は排気ガス低減装置本体で、２は本体と一体に接続されているコード、３はコードの先端に接続した挿入プラグである。【０００９】  挿入プラグ３をシガライターソケット７に接続した後エンジン４を始動し、オルタネータ５で発電し、バッテリ６に蓄電される。バッテリから電気系統を通して各電装品や点火パーツに配電される。【００１０】  エンジン始動後、排気ガス低減装置１の電解コンデンサに蓄えられた大容量の電力と、整流効果で安定した電力が供給されるために、エンジンの燃焼効率が高まり燃料の節減になりマフラー８より排気されるガスが低減される。
【図面の簡単な説明】
【００１１】
【図１】  本考案の実施形態を示す排気ガス低減装置の全体図
【図２】  本考案の排気ガス低減装置と関連する各機構と系統図
【符号の説明】
【００１２】  １  排気ガス低減装置の本体
２  本体と接続したコード
３  コード先端に接続した挿入プラグ
４  エンジン
５  オルタネータ
６  バッテリ
７  シガライターソケット
８  マフラー
【図１】
0003123262.tif 000003
【図２】
0003123262.tif 000004
【手続補正書】
【提出日】平成18年4月3日(2006.4.3)
【手続補正１】
【補正対象書類名】実用新案登録請求の範囲
【補正対象項目名】全文
【補正方法】変更
【補正の内容】
【実用新案登録請求の範囲】
【請求項１】
自動車の運転席前面パネル部中央付近に通常取り付けられているシガライターソケットに、電解コンデンサ、ヒューズ等の電気回路で構成された長方形型のボックスにコードを接続し先端に挿入プラグを取り付けた装置を装着し、エンジン始動後の電気系統に良好な影響を付与し、燃料を低減し得る自動車のシガライターソケットを利用した排出ガス低減装置。
【請求項２】
バッテリに蓄電された電気をシガライターソケットに接続された排気ガス低減装置に一旦蓄えるために、積載されているバッテリの容量により、回路に使用する電解コンデンサの数量が数個から十数個になり、最適の数量を設計し、自動車運転中の電気の安定した供給を特徴とする請求項１記載の排出ガス低減装置。
(57)【要約】      （修正有）【課題】ドリルガイドを用い面直角孔明け作業をするさい、孔とドリルの位置、状態の確認を容易にして作業ミスを防止する。【解決手段】ドリルガイド１を無色透明にし、孔明け確認を容易におこなえるようにし、切り込み部１Ａと部材との当り面１Ｂに曲面を設け、ドリルガイドと部材との安定性を高める。【選択図】図１
0003123263.tif 000002
【実用新案登録請求の範囲】
【請求項１】
無色透明のプラスチック素材を使用し又、切込みを深くしてドリル先端と部材の状態を直接確認できるようにしたドリルガイド。
【請求項２】
部材とドリルガイドの当り面の角を滑らかにし部材とドリルガイドの安定性を向上させるようにした。
【考案の詳細な説明】
【技術分野】
【０００１】本考案は、孔明け作業時に面直角孔明けをするドリルガイドである。
【背景技術】
【０００２】従来使用していたドリルガイド本体は有色製で孔明け作業時ドリルの先端がかろうじて見えるものであって、位置が正確に孔の中心にあるのか、孔の状態がどのようになっているのかが判りづらかった。また、部材との接触面積が広い為曲面での孔明け作業時に不安定であった。
【考案の開示】
【考案が解決しようとする課題】
【０００３】従来品では平面で使用する場合、孔明け作業をするたびにドリルの先端位置を確認していた為時間的負荷が多く、また、孔明け作業中に孔の位置、状態が確認しづらい為ミスが多発していた。また、滑らかな曲面を持った部材では、安定性が無く使用困難であった。
【課題を解決するための手段】
【０００４】本考案はドリルガイド本体を無色透明にし、切込部を従来品より深くすると共に製品との当り面の面積を少なくすることにより孔明け作業中に直接孔の状態、位置の確認が容易になり、孔明け作業時部材との安定性を向上させることにより問題を解決している。
【考案の効果】
【０００５】上述の様に、本考案のドリルガイドは面直角孔明け作業時に孔の状態、位置の確認が容易にできるようになり作業ミス防止に役立つ。
【考案を実施するための最良の形態】
【０００６】ドリルガイド本体に孔明け用ブッシュを挿入し孔明けしようとしている部材にドリルガイドを当てドリルを挿入し孔明け作業をする。
【実施例】
【０００７】以下、添付図面に従って実施例を説明する。図１は本考案の透明ドリルガイドの図、図３は孔明け用ブッシュの図である。【０００８】本考案のドリルガイド図１は円筒状であって、ドリルガイドの内径Ｄと孔明け用ブッシュの外径ｄとほぼ等しく、孔明け用ブッシュのドリル挿入穴ｅはドリルの外径とほぼ等しい径である。【０００９】図２は本考案の使用状況を示す縦断側面図である。【００１０】ドリルガイド０１に孔明け用ブッシュ０２をはめ込み、ドリルガイド０１を孔明けする部材０４に当てドリル０３を挿入し孔明け位置を確認した後にドリル０３を回転させる。この時ドリルガイド０１は無色透明なのでドリル０３を挿入し孔を明ける状況を確認しながら作業ができる。
【図面の簡単な説明】
【００１１】
【図１】は本考案の図で（ａ）は上から見た図、（ｂ）は正面から見た図、（ｃ）は下から見た図である。
【図２】は本考案の実施例を示す縦断側面図である。
【図３】は孔明け用ブッシュを示す図で、（ａ）は上から見た図、（ｂ）は側面から見た図である。
【図４】は従来のドリルガイドの図で、（ａ）は上から見た図、（ｂ）は正面から見た図、（ｃ）は下から見た図である。
【符号の説明】
【００１２】  ０１，１  透明ドリルガイド
０２      孔明け用ブッシュ
０３      ドリル
０４      部材
Ｄ        ドリルガイド内径
ｄ        孔明け用ブッシュ外径
ｅ        ドリル用孔径
１Ａ      切込部
１Ｂ      当り面
【図１】
0003123263.tif 000003
【図２】
0003123263.tif 000004
【図３】
0003123263.tif 000005
【図４】
0003123263.tif 000006
【手続補正書】
【提出日】平成18年4月6日(2006.4.6)
【手続補正１】
【補正対象書類名】実用新案登録請求の範囲
【補正対象項目名】請求項２
【補正方法】変更
【補正の内容】
【請求項２】
部材とドリルガイドの当り面の角を滑らかにし部材とドリルガイドの安定性を向上させる形状を特徴とする請求項１記載のドリルガイド
(57)【要約】【課題】本考案は生理用品を収納できる内部ポケットを設け、毎回用意なしで手ぶらでトイレへ行ける。【解決手段】本考案は収納ポケット（２）を内部に取り付けマジックテープ（３）を取り付ける事により開閉自在となる。約１日分をポケットに収納できるので毎回用意する必要はなく、精神的にもかなり負担が軽くなる。【選択図】図１
0003123265.tif 000002
【実用新案登録請求の範囲】
【請求項１】
オーバーパンツ。生理用ショーツの上に重ねて履くオーバーパンツでその内側に生理用ナプキンを約半日〜１日分収納できるポケットを付け、トイレ時気軽に手ぶらで行くことができる特徴を持つパンツ。
【考案の詳細な説明】
【技術分野】
【０００１】本考案は、生理用品を約１日分内部収納できるオーバーパンツである。
【背景技術】
【０００２】トイレへ行くごとに生理用品を持ち歩かねばならない。
【考案の開示】
【考案が解決しようとする課題】
【０００３】トイレへ行くたびに生理用品を持ち歩く事は特に小中学生などは精神的にも負担である。従ってオーバーパンツのポケットを利用する事により持ち歩く負担がなくなり精神的負担の解決にも繋がる。
【課題を解決するための手段】
【０００４】本考案は、生理用ナプキンを収納するポケットをオーバーパンツの内側に設け、そのポケットが開閉自在となるようにポケット上部にマジックテープを装着する。
【考案の効果】
【０００５】上述のように、本考案の内部収納付きオーバーパンツはそのままパンツとして使用することは勿論、内部収納を可能にパンツ本体に設けたので、生理用品を収納でき、しかも外見からはほとんど目立たないので安心して使用できる。
【考案の実施するための最良の形態】
【０００６】内部ポケットに入れた物が落ちないようマジックテープをポケット上部に取り付けることにより開閉自由自在となる。
【実施例】
【０００７】以下、添付図面に従って一実施例を説明する。（１）は通気性に優れた綿のオーバーパンツ本体、（２）は生理用ナプキンを収納するポケット部分、（３）はポケット上部を留めるマジックテープを付けることにより、色々な動きにも落とすことなく対応可能。【０００８】本考案の一実施例は上述の如き構成からなるものであるから、オーバーパンツとして用いる事は勿論であるが、（３）の内部ポケットを利用すれば収納可能となる。
【図面の簡単な説明】
【０００９】
【図１】本考案のポケット付きオーバーパンツの一実施例を示す正面図である。
【図２】本オーバーパンツの一部切欠断面図である。
【符号の説明】
【００１０】１  オーバーパンツ本体
２  内部ポケット
３  マジックテープ
【図１】
0003123265.tif 000003
【図２】
0003123265.tif 000004
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
生理用ショーツの上に重ねて履くオーバーパンツでその内側に生理用ナプキンを約半日〜１日分収納できるポケットを付け、トイレ時手ぶらで行くことができる特徴を持つパンツ。
【手続補正２】
【補正対象書類名】明細書
【補正対象項目名】０００４
【補正方法】変更
【補正の内容】
【０００４】本考案は、生理用ナプキンを収納するポケットをオーバーパンツの内側に設け、そのポケットが開閉自在となるようにポケット上部に面ファスナーを装着する。
【手続補正３】
【補正対象書類名】明細書
【補正対象項目名】０００６
【補正方法】変更
【補正の内容】
【０００６】内部ポケットに入れた物が落ちないよう面ファスナーをポケット上部に取り付けることにより開閉自由自在となる。
【手続補正４】
【補正対象書類名】明細書
【補正対象項目名】０００７
【補正方法】変更
【補正の内容】
【０００７】以下、添付図面に従って一実施例を説明すると（１）は通気性に優れた綿のオーバーパンツ本体、（２）は生理用ナプキンを収納するポケット部分、（３）はポケット上部を留める面ファスナーを付けることにより、色々な動きにも落とすことなく対応可能。
【手続補正５】
【補正対象書類名】明細書
【補正対象項目名】００１０
【補正方法】変更
【補正の内容】
【００１０】１  オーバーパンツ本体
２  内部ポケット
３  面ファスナー
(57)【要約】      （修正有）【課題】簡単に帽子に変形でき、かつ、細工に手数がほとんど掛からず安価に製造でき、従来の帽子が有する不便さを解消した多機能帽子を提供する。【解決手段】多機能帽子１０は、両端が開口している筒状の編地Ａにおいて、その一方の端部Ａ１の近傍に伸縮性紐よりなる輪状物Ｂを設ける。【選択図】図１
0003123251.tif 000002
【実用新案登録請求の範囲】
【請求項１】
両端が開口している筒状の編地において、その一方の端部の近傍に伸縮性紐よりなる輪状物を設けてなることを特徴とする多機能帽子。
【請求項２】
輪状物を設けた方の端部の周縁をインターロック又はオーバーロックで処理したことを特徴とする請求項１に記載の多機能帽子。
【考案の詳細な説明】
【技術分野】
【０００１】
本考案は、多くの用途に使用可能な多機能帽子に関し、特にネックウォーマーと兼用できる多機能帽子に関する。
【背景技術】
【０００２】
本考案に係る従来の多機能帽子としては、下記特許文献１〜４に示すように、いずれも両端が開口した筒状の布帛の端部周方向に適宜間隔をおいて穴を設け、その穴に端部を周回する絞り紐を挿通し、帽子として使用するときには、絞り紐を引き絞ることにより一方の開口部を閉塞し、マフラー等に使用する場合は、絞り紐を緩めて筒状の状態に戻して使用するものが知られている。なお、特許文献３には、ゴム輪を使用する記載があるが、このゴム輪は当該筒状の布帛に連結されているとの記載は見当たらず、身の回りある手持ちのゴム輪を使用するものと考えられる。
【特許文献１】実開昭６０−１３６３１５号公報
【特許文献２】実開平６−１０３１６号公報
【特許文献３】特開平７−２１６６１９号公報
【特許文献４】実用新案登録第３１０５２７１号公報
【考案の開示】
【考案が解決しようとする課題】
【０００３】
しかしながら、上記従来の多機能帽子においては、そのような絞り紐を設けること自体が手数の掛かることであり、余分なコストが掛かる欠点がある。また、筒状の布帛に対して手持ちのゴム輪を使用し、帽子状に変形して使用する場合には、ゴム輪が簡単に脱落してしまうおそれがあり、また、脱落したゴム輪を見失ってしまうと、もはや帽子状に変形することができないという不便があった。
【０００４】
そこで、本考案者は、簡単に帽子に変形でき、かつ、細工に手数がほとんど掛からず安価に製造でき、従来の帽子が有する不便さを解消した多機能帽子を開発した。
【課題を解決するための手段】
【０００５】
本考案に係る多機能帽子は、両端が開口している筒状の編地において、その一方の端部の近傍に伸縮性紐よりなる輪状物を設けてなることを特徴とするものである。
【０００６】
このように構成したことにより、輪状物を設けた方の筒状編地の端部を束ねて当該輪状物に通すことにより一方の開口部を閉塞するだけで、容易に帽子に変形することができる。また、筒状編地に輪状物を取り付けるだけで本考案品が完成し、筒状の編地自体を加工するものではないから、簡単に製造できコストもほとんど要しない。
【０００７】
また、輪状物を設けた方の筒状編地の端部周縁をインターロック又はオーバーロックで処理した場合には、当該端部を束ねたときに端縁が嵩張る状態となるため、筒状編地の端部を束ねて輪状物に通したときに、嵩張った端縁が輪状物からの抜け止めとなるので、帽子の形態が崩れるのを防止することができる。
【考案の効果】
【０００８】
本考案に係る多機能帽子は、上記した構成よりなるものであるから、簡単に帽子に変形でき、かつ、細工に手数がほとんど掛からず安価に製造でき、従来の帽子が有する不便さを解消する効果がある。
【考案を実施するための最良の形態】
【０００９】
以下に、本考案の好適な実施例を添付の図面に基づいて詳細に説明する。
【実施例１】
【００１０】
図１は本実施例に係る多機能帽子を筒状の形態にした場合の斜視図であり、図２は本実施例に係る多機能帽子を筒状の形態にした場合の断面図であり、図３は本実施例に係る多機能帽子を帽子状の形態にした場合の斜視図である。
【００１１】
本実施例に係る多機能帽子１０は、両端が開口している筒状編地Ａと、その一方の端部の近傍に伸縮性紐よりなる輪状物Ｂとからなるものである。各図において、ａ１は筒状編地Ａの上端開口縁であり、ａ２は筒状編地Ａの下端開口縁である。筒状編地Ａは、丸編機により編成された丸編地より構成されている。なお、筒状編地は、横編機により編成された編地を筒状に縫製することにより作成してもよい。前記上端開口縁ａ１はそのやや下がった位置、すなわち上端開口部Ａ１に長い目に給糸して上端開口部Ａ１の編地に余裕を持たせ、上端開口縁ａ１を編地の周長よりも長い目に縁取りすることにより、上端開口部Ａ１を波打った状態にインターロック又はオーバーロックで処理している。輪状物Ｂは前記筒状編地Ａの上端開口部Ａ１の近傍、すなわち、上端開口縁ａ１から下がった位置に縫着されている。この輪状物Ｂは、ポリウレタン糸等の伸縮糸を挿入した伸縮性を有する細紐をカールさせて形成したものである。
【００１２】
上記構成を有する多機能帽子１０は、その上端開口部Ａ１を束ねて輪状物Ｂに通せば、図３に示すように、上端開口縁ａ１が閉塞された帽子状の形態となり、下端開口縁ａ２を被り口として、頭に装着すれば帽子として使用することができる。また、筒状編地Ａそのものの形態の場合には、当該筒状編地Ａが丸編地で形成されているため径方向に、すなわち幅方向に充分な伸縮性を有しているので、その全体を首まではめ入れれば、ネックウォーマーとして使用できる。その他、この多機能帽子１０は、筒状であることを利用して、また、扁平な状態にすれば矩形になることを利用して、ヘアーバンド、イヤーバンドあるいは目出し帽などの種々の目的に使用することができる。
【００１３】
以上のように本実施例に係る多機能帽子１０は、筒状編地Ａに輪状物Ｂを取り付けるだけであり、筒状編地Ａ自体を加工するものではないから、簡単に製造できコストもほとんど要しない。
【００１４】
本実施例においては、輪状物Ｂを設けた方の筒状編地Ａの上端開口縁ａ１をインターロック又はオーバーロックで処理しているので、上端開口縁ａ１を束ねたときにこの端縁が嵩張る状態となる。したがって、筒状編地Ａの上端開口部Ａ１を束ねて輪状物Ｂに通したときに、嵩張った端縁が輪状物Ｂから抜け出ないように作用するので、帽子の形態が崩れるのを防止することができる。なお、本実施例のように筒状編地Ａの上端開口縁ａ１を必ずしもインターロック又はオーバーロックで処理する必要はなく、フラットな形態で作成してもよい。
【産業上の利用可能性】
【００１５】
本考案に係る多機能帽子は、乳幼児用として最も好適であるが、子供用及び大人用としても好適である。
【図面の簡単な説明】
【００１６】
【図１】本考案に係る多機能帽子を筒状の形態にした場合の斜視図である。
【図２】本考案に係る多機能帽子を筒状の形態にした場合の断面図である。
【図３】本考案に係る多機能帽子を帽子状の形態にした場合の斜視図である。
【符号の説明】
【００１７】
１０・・多機能帽子
Ａ・・・筒状編地
Ａ１・・上端開口部
Ｂ・・・輪状物
ａ１・・上端開口縁
ａ２・・下端開口縁
【図１】
0003123251.tif 000003
【図２】
0003123251.tif 000004
【図３】
0003123251.tif 000005
(57)【要約】      （修正有）【課題】西暦１８６０年には、すでに実用品として各家庭で竹笊が使用されていたと知りました。今では見る機会も少なくなると同時に、民芸品としての取扱いが主体となり実用品として使用する機会も無くなりつつあります。【解決手段】古き良き物と現在では生活に欠かす事の出来ない電気照明を融合させる事によって、民芸品意外の利用方法を見い出しました。格子状に編込まれた笊の隙間と覆った傘の開口部から漏れる柔らかい幻想的な光を見ていると歴史の重さをも感じさせます。四角形、楕円形、三角形と竹笊の形を変えることによって使用用途が増しインテリアとして使用する空間に合わせる事が出来、個人の好みで照明機具を選ぶことも出来ます。本考案は外装等、すべて笊を利用した照明機具に関するものであり、従来の照明機具と比べ構造が簡単にも関わらずデザイン的にも独特なものである。【選択図】図１
0003123260.tif 000002
【実用新案登録請求の範囲】
【請求項１】
従来の照明機具と比べて、構造が簡単にも関わらずデザイン的にも独特なものである。使用する笊についても環境に優しく使用目的も大きく広がるものとしたところを特徴とする笊を利用した照明機具。
【考案の詳細な説明】
【技術分野】
【０００１】古き良き物と、現在では生活に欠かす事の出来ない電気照明を融合させてみました。
それによって、再度、竹笊のすばらしさと古くから伝わる生活用品を見直す為の良い機会になればと思い提案しました。
【背景技術】
【０００２】西暦１８６０年には、すでに実用品として各家庭で竹笊が使用されていたと知りました。
今では見る機会も少なくなると同時に、実用品として使用する機会も無くなりつつあります。現在では民芸品としての取扱いが主体となりました。
そこで、民芸品意外の利用方法がないかと言う観点から思いついたものが本考案である。
【非特許文献１】「伝統的工芸品の本」編集（財）伝統的工芸品産業振興協会・発行所（株）同友館
【考案の効果】
【０００３】格子状に編込まれた笊の隙間と覆った傘の開口部から漏れる柔らかい幻想的な光を見ていると歴史の重さをも感じさせます。
【考案を実施するための最良の形態】
【０００４】四角形、楕円形、三角形と竹笊の形を変えることによって使用用途が増しインテリアとして使用する空間に合わせる事が出来、個人の好みで照明機具を選ぶことが出来る。
【実施例】
【０００５】本考案は外装等、すべて笊を利用した照明機具に関するものである。従来の照明機具と比べて、構造が簡単にも関わらずデザイン的にも独特なものである。使用する笊についても環境に優しく使用目的も大きく広がるものでる。図面を参照しながらこの考案の実施例を説明する。
図１は、第一実施例を示す斜視図である。（１）基台としての笊を複数の（２）笊で覆い照明機具の傘として使用するものである。（３）はコード、（４）はスイッチ、（５）はコンセントである。
図２は、第一実施例を示す一部切断図面である。（１）基台の笊中央付近に穴を開け（６）照明装置を取付ける。（７）はコードを通すための穴であるが、特別に開けた穴でなく笊の隙間から通しただけの簡単なものである。
図３は、第二実施例を示す斜視図である。第一実施例では、据置として使用するものであるが第二実施例では吊り下げで使用する場合の説明である。
単純に第一実施例を逆に使用しますので、基本的な構造の変更はありません。
この場合（１）基台の三方、もしくは四方に（８）ヒモ並びにクサリを装着することで簡単に吊り下げ式の照明機具としても使用出来るものである。
【産業上の利用可能性】
【０００６】本考案は、竹笊を使用した独特なデザインであり、旅館・ホテルの和室並びに和風な店鋪で
で使用することによって、効果を発揮出来るものと考えています。また、個人でも幻想的な雰囲気を楽しめるものと確信しています。
【図面の簡単な説明】
【０００７】
【図１】本考案の第一実施例を示す斜視図である。
【図２】第一実施例の一部切断断面図である。
【図３】本考案の第二実施例を示す斜視図である。
【符号の説明】
【０００８】（１）照明装置を取付ける基台
（２）照明機具の傘
（３）コード
（４）スイッチ
（５）コンセント
（６）照明装置
（７）コードを通す穴
（８）吊り下げるヒモ
【図１】
0003123260.tif 000003
【図２】
0003123260.tif 000004
【図３】
0003123260.tif 000005
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
金属やプラスティックで構成された従来の照明機具と比べて自然素材で出来た笊一枚を基台とし、その中央に照明装置を配置しさらに複数枚の笊で基台を覆うと言う簡単な構造を用いた独特なデザインであり使用する笊については環境に優しく使用目的も大きく広がるものとしたところを特徴とする照明機具。
(57)【要約】【目的】靴の中敷に脱臭効果と水虫予防効果をもたせる【構成】靴の中敷１にリン酸チタニア化合物２を塗布もしくは染み込ませるか、リン酸チタニア化合物を染み込ませたもの３で靴の中敷を作り，靴の中の脱臭と水虫防止が出来るようにした。【選択図】図１
0003123253.tif 000002
【実用新案登録請求の範囲】
【請求項１】
靴の中敷１にリン酸チタニア化合物２を塗布もしくは染み込ませるか、リン酸チタニア化合物を染み込ませたもの３で靴の中敷を作る。
【考案の詳細な説明】
【考案の詳細な発明】
【考案が解決しようとする課題】
【０００１】靴の中の脱臭と水虫の元となる菌を減退させ予防と治療を行うこと。
【課題を解決するための手段】
【０００２】上記目的を達成するために，靴の中敷にリン酸チタニア化合物を塗布もしくは染み込ませるか、リン酸チタニア化合物を染み込ませたもので靴の中敷をつくる。
【考案の効果】
【０００３】リン酸チタニア化合物を利用した靴の中敷により靴の中の脱臭及び足の水虫防止及び水虫治療を行うことができる。
【図面の簡単な説明】
【図１】靴の中敷とリン酸チタニア化合物の斜視図である。
【図２】リン酸チタニア化合物を染み込ませた物の斜視図である。
【符号の説明】
１  靴の中敷
２  リン酸チタニア化合物
３  リン酸チタニア化合物を染み込ませた物
【図１】
0003123253.tif 000003
【図２】
0003123253.tif 000004
【手続補正書】
【提出日】平成17年3月10日(2005.3.10)
【手続補正１】
【補正対象書類名】実用新案登録請求の範囲
【補正の内容】
0003123253.tif 000005
【手続補正書】
【提出日】平成18年4月21日(2006.4.21)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
靴の中敷１にリン酸チタニア化合物２を塗布もしくは染み込ませるか、リン酸チタニア化合物を染み込ませたもの３で靴の中敷として使用し、脱臭及水虫防止、水虫駆除の靴の中敷にする。
【手続補正２】
【補正対象書類名】手続補正書
【補正対象項目名】手続補正２
【補正方法】変更
【補正の内容】
【手続補正２】
【補正対象書類名】明細書
【補正対象項目名】０００２
【補正方法】変更
【補正の内容】
【０００２】上記目的を達成するために、靴の中敷にリン酸チタニア化合物を塗布もしくは染み込ませるか、リン酸チタニア化合物を染み込ませたもので靴の中敷として使用する。
(57)【要約】【課題】使う人の体格の大きさや体型によっては締めすぎたり、緩めすぎたりし、使い勝手が一定しないと共に、何度も洗濯したり、経年変化によってベルトの伸縮性が悪くなって、装着が緩むと共に、首以外の部位の冷却に使用できない。【解決手段】板片状の冷却材の出し入れ口を有する布製袋体の両側端に、先端にピンチを取り付けた紐状体を取り付け、内部に保冷材を入れた袋体を首の後ろに当て、この状体で紐状体を胸の方に廻して適正な緊張状態に調整しながらピンチで衣服に止め着けるように構成した。【選択図】図１
0003123294.tif 000002
【実用新案登録請求の範囲】
【請求項１】
板片状の冷却材の出し入れ口を有する布製袋体の両側端に、先端にピンチを取り付けた紐状体を取り付けてなることを特徴とする冷却袋。
【考案の詳細な説明】
【技術分野】
【０００１】  本考案は、主として人の首、その他手首、足首、肘、膝等を冷やすための冷却袋に関するものである。
【背景技術】
【０００２】のあるベルトの両端を取り付け、布の中央に保冷材を置いた状態で布の余剰部分をこの上に折り重ねて保冷材を包み、この状態でベルトを脇の下を通して背中に廻し、保冷材を包んだ布部分は胸の前に位置させ、この布部分を頭の上を通して首の後ろに当てがうことにより、布で包んだ保冷材を首の後ろに保持するようにした冷却具が知られている。【０００３】
【特許文献１】特開２００４−４４０５１号公報
【考案の開示】
【考案が解決しようとする課題】
【０００４】
【０００５】  解決しようとする問題点は、ゴムのような伸縮性のベルトで装着するので、使う人の体格の大きさや体型によっては締めすぎたり、緩めすぎたりし、使い勝手が一定しないと共に、何度も洗濯したり、経年変化によってベルトの伸縮性が悪くなって、装着が緩む欠点がある。【０００６】  さらに、首以外の部位の冷却に使用できない点である。
【課題を解決するための手段】
【０００７】  本考案は、使う人の体格や体型にかかわらず締めすぎたり、緩めすぎたりすることなく適正な緊迫力で快適な装着感が得られるようにするため、板片状の冷却材の出し入れ口を有する布製袋体の両側端に取り付けた紐状体とその先端にピンチにより、首等に当てがった袋体を保持することを最も主要な特徴とする。
【考案の効果】
【０００８】  使う人の体格や体型にかかわらず締めすぎたり、緩めすぎたりすることなく適正な緊迫力で袋体を冷却部位に当てがって快適な装着感をもって保持することができ、首以外の手首や足首などの部位にも使用できると共に、紐状体が経年変化せず、また経年変化等で伸びても使用に支障がない。
【考案を実施するための最良の形態】
【０００９】  袋体を適正な緊迫力で袋体を冷却部位に当てがって快適な装着感をもって保持することを可能とするという目的を、布製袋体の両側端に先端にピンチを取り付けた紐状体を取り付けことで実現した。
【実施例１】
【００１０】  図１に示すように、ゲル状冷媒を入れた既製の四角形板片状の保冷材を内部に収納可能な布製袋体１には、その中央部に保冷材を出し入れするための開口部２が設けられ、両側端には細帯状等の柔軟な紐状体３が取り付けられている。【００１１】  左右の紐状体３の先端には、相対する一対の挟着片の先端が加圧カムやバネによって圧着し、これによって開閉自在な挟着片間に物を挟着保持することが可能な公知のピンチ（挟着具）４が取り付けられている。【００１２】  ピンチ４は、見た目にあまり目立たず、挟着時に邪魔にならないように、望ましくは小指の先端部程度のサイズの小さいものが好ましく、またその後端の紐状体取付枠４ａに紐状体３の先端部を通してスナップボタン５や面ファスナーで長さ調節自在に止め着け、袋体１の洗濯時等において、必要に応じてスナップボタン５や面ファスナーを剥離することにより、ピンチ４を取り外せるように紐状体３に対してピンチ４を着脱自在に取り付けることが望ましい。【００１３】  図２及び図３は、この考案の袋体１の製作工程の一実施例を示したもので、図１に示すように先ず四角形の本体布地１ａの対向端部を筒状になるように折り、その折った両端部を二枚重ねにする。【００１４】  次いで図２に示すように、筒状となった両端の開口部を細く絞ってその絞った部分を別の筒状にした飾り布地１ｂで包み、この飾り布地１ｂの内側端部を本体布地１ａに縫い付け、飾り布地１ｂの外側端部は細く絞って紐状体３を縫い付ける。【００１５】  このようにして作成された袋体１の本体布地１ａが折り重なった部分は、それらの間の隙間を通じて袋体１の内部と外部が連通状態となっているため、この隙間部分が保冷材を出し入れするための開口部２として構成され、図４に示すようにこの開口部２から袋体１の内部に保冷材６を入れると、開口部２は本体布地１ａの端部が折り重ねられているため、保冷材６が袋体１から容易に脱落することなく安定して収納保持される。【００１６】  なお、袋体１の製作方法及びその形態は上記実施例に限定することなく、既存の保冷材６が出し入れ自在に収納できるように袋状をなすものであれば、他の製作方法及び形態のものを採用できることは言うまでもない。【００１７】  袋体１を首の後ろの冷却に使用する際には、その内部に保冷材６を入れてこの袋体１を首の後ろに当て、この状体で紐状体３を胸の方に廻して適正な緊張状態に調整しながらピンチ４で衣服に止め着ける。【００１８】  また、袋体１を手首や足首あるいは肘などの比較的細い部分に冷却に使用するときには、冷却部分に袋体１を巻き付けるように当てがい、左右の紐状体３を手首などの周りに巻き付けて適正な緊張状態に調整しながら袋体１の適当な部分にピンチ４で止め着ける。【００１９】  従って、ピンチ４の止め着け位置の調整によって紐状体３の緊迫力を調整できるので、紐状体３は伸縮性のないものの他、ゴムのように伸縮性があるものであってもよく、この伸縮性紐状体が洗濯や経年変化によって伸縮性を失って伸びても差し支えない。【００２０】  袋体１は布であるため、首などの部位に当てても感触が柔らかで不快感がなく、保冷材６の冷熱も袋体１を介して間接的に使用部位に伝わるので、急激な冷感��冷えすぎることがない。
【産業上の利用可能性】
【００２１】  冷凍食品などの保冷用に使われて要らなくなった保冷材を有効利用して、首などの冷却に活用することができる。
【図面の簡単な説明】
【００２２】
【図１】この考案の袋体の実施例を示す正面図である。（実施例１）
【図２】この考案の袋体の製作過程における一態様を示す正面図である。
【図３】この考案に係る袋体布地の折り曲げ状態を示す斜視図である。
【図４】この考案の袋体内に保冷材を収納した状態を示す縦断側面図である。
【符号の説明】
【００２３】１    袋体
１ａ  本体布地
１ｂ  飾り布地
２    開口部
３    紐状体
４    ピンチ
４ａ  紐状体取付枠
５    スナップボタン
６    保冷材
【図１】
0003123294.tif 000003
【図２】
0003123294.tif 000004
【図３】
0003123294.tif 000005
【図４】
0003123294.tif 000006
(57)【要約】【課題】本考案は、家庭で食器や調理器具を洗うときに使用するネットクリーナーに重曹を装填した重曹入りタワシを提供する。【解決手段】網袋（１）の一端に開口部（２）を設け、開口部端には吊り下げ部（３）を設けたことを特徴とする重曹入りタワシである。【選択図】図１
0003123293.tif 000002
【実用新案登録請求の範囲】
【請求項１】
網袋（１）の一端に開口部（２）を設け、開口部端には吊り下げ部（３）を設けたことを特徴とする重曹入りタワシ。
【考案の詳細な説明】
【技術分野】
【０００１】  本考案は、家庭で食器や調理器具を洗うときに使用するネットクリーナーに重曹を装填したスポンジタワシに関するものである。
【背景技術】
【０００２】  従来、家庭用のスポンジタワシはネットに長方形のスポンジをただ単に入れるだけのものであった。一部には洗剤なしでも汚れを落とすことの出来る洗浄用具も市販されて入る（特許文献１参照）が、通常使用する時は、スポンジタワシとは別に洗剤が必要であった。この洗剤には一般的にアルカリ性塩類や界面活性剤を配合したいわゆる合成洗剤が使われている。【０００３】
【特許文献１】
【出願番号】
特許出願平８−１３４０７８
【出願日】
１９９６年４月１９日
【公開番号】
特許出願平９−２８５４３６
【公開日】
１９９７年１１月４日
【出願人】
小森  知子
【発明者】
小森  知子
【発明の名称】
アクリル素材、あるいはアクリル素材を主原料とする食器洗浄用具
【考案の開示】
【考案が解決しようとする課題】
【０００４】  一般にこの種の洗剤は、強アルカリ性による剥離作用を主に利用して、食器等に付着した油分を除去することに主眼においており、又、塩素剤を配合して殺菌まで行なうようにしたものも多数市販されている。【０００５】  しかしながらこれらの洗剤は、食器類を洗浄する時に作業者の手や指に直接触れるため、作業者の手や指が荒れると言う問題がつきまとっていた。その上この洗剤の排水が水質汚染の一大要因になっているという問題も懸念されている。【０００６】  従来、食器類等の洗浄には重曹（炭酸水素ナトリウム或いは重炭酸ソーダ）が使用されていた。重曹の持つ研磨性とアルカリ性を利用したものであり、重曹を利用した洗剤は多数市販されている。本考案は、この重曹を応用して考案されたものである。すなわち洗浄力があり、使用者の手や指にもやさしい安全性に優れている上に、水質汚染の問題も解消するまさに一石二鳥となる合成洗剤不要のスポンジタワシを提供することを目的とする。
【課題を解決するための手段】
【０００７】  網袋（１）の一端に開口部（２）を設け、開口部端には吊り下げ部（３）を設ける。本考案は以上の構成よりなる重曹入りタワシである。
【考案の効果】
【０００８】  本考案を使用することによって、食器や調理器具を洗うときに高い洗浄力を発揮するにもかかわらず、食品等にも使用される重曹の持つ安全性が充分保障され作業者の手や指にもやさしい上に、洗浄後の排水にも有害物質は含まれず環境にもよい洗浄用具と言うことが出来る。
【考案を実施するための最良の形態】
【０００９】  以下、本考案の最良の実施形態について説明する。
（イ）細かい網目状からなるネットを縫製加工し長方形状の網袋（１）を設ける。
（ロ）短辺の一方は縫合し、残りの短辺は縫製せずに開口部（２）とする。
（ハ）開口部（２）側の一端に不使用時に吊り下げるための吊り下げ部（３）を設ける。
本考案は以上の構成よりなっており、これを使用して食器類を洗浄する時は、開口部より重曹を入れて長辺部分を手に持って使用する。中に入れた重曹が少しずつ水に溶け出し洗浄力を発揮する。中の重曹がなくなれば再度補充して使用する。使用後は水をよくきり、吊り下げ部（３）にて吊り下げれば乾燥して衛生的である。
【図面の簡単な説明】
【００１０】
【図１】  本考案の斜視図
【符号の説明】
【００１１】  （１）    網袋
（２）    開口部
（３）    吊り下げ部
【図１】
0003123293.tif 000003
(57)【要約】【課題】場合に応じて種々の装飾を容易に変化させることができるハイヒール靴用の装飾及びそのような装飾を有するハイヒール靴を提供する。【解決手段】弾性手段を少なくとも一部に内蔵した帯状体から成る装飾１０であって、該弾性手段の弾性力によりヒールの周囲を巻回するようにヒールに固定される。靴そのものに細工や加工を施すのではなく、そのヒールの周囲に巻くのみであるため、１つのハイヒール靴に複数の装飾を交替で取り付けることができる。従って、本考案の装飾のみを複数準備しておくことにより、全体として低コストで複数種の装飾付きハイヒール靴を楽しむことができる。帯状体の表面に宝玉等を固定することにより、本考案に係るハイヒール靴用装飾は一層華やかなものとなり、ハイヒール靴の装飾性を高める。更に装飾性を高めるために、チェーン等の装飾物を付加するようにしてもよい。【選択図】図１
0003123807.tif 000002
【実用新案登録請求の範囲】
【請求項１】
弾性手段を少なくとも一部に内蔵した帯状体であって、該弾性手段の弾性力によりヒールの周囲を巻回するようにヒールに固定されることを特徴とするハイヒール靴用装飾。
【請求項２】
輪状となっている請求項１に記載のハイヒール靴用装飾。
【請求項３】
表面に宝玉等が固定された請求項１又は２に記載のハイヒール靴用装飾。
【請求項４】
チェーン等の装飾物が付加された請求項１〜３のいずれかに記載のハイヒール靴用装飾。
【請求項５】
請求項１〜４のいずれかに記載のハイヒール靴用装飾が付されたハイヒール靴。
【考案の詳細な説明】
【技術分野】
【０００１】
本考案は、ハイヒール靴の装飾、及びそのような装飾を施したハイヒール靴に関する。
【背景技術】
【０００２】
女性用のハイヒール靴は華やかな場面で使用されるものであるため、その色や質感等において全体として派手なものが多いが、更に目を惹くための工夫も種々考案されている。例えば特許文献１には、ヒールに光源を内蔵し、後方に向けて発光するようにしたハイヒール靴が開示されている。又、特許文献２には、踵の表面に図柄等を印刷したハイヒール靴が開示されている。
【特許文献１】特開平10-127307号公報
【特許文献２】特開2003-102508号公報
【考案の開示】
【考案が解決しようとする課題】
【０００３】
これら従来のハイヒール靴は、靴そのものに細工や加工を施すものであるため、靴の価格が高くなるという問題点がある。又、その形態は靴に固定されているため、種々の場合に応じて装飾の種類（例えば発光色や印刷図柄の内容等）を変えることができず、あえて変えようとすると複数種の靴を用意しておかねばならないという不都合があった。
【０００４】
本考案はそのような課題を解決するものであり、場合に応じて種々の装飾を容易に変化させることができるハイヒール靴用の装飾及びそのような装飾を有するハイヒール靴を提供するものである。
【課題を解決するための手段】
【０００５】
上記課題を解決するために成された本考案に係るハイヒール靴用装飾は、弾性手段を少なくとも一部に内蔵した帯状体であって、該弾性手段の弾性力によりヒールの周囲を巻回するようにヒールに固定されることを特徴とする。
【考案の効果】
【０００６】
本考案に係るハイヒール靴用装飾は、靴そのものに細工や加工を施すのではなく、ヒールに取り付ける別体のものとして構成されているため、１つのハイヒール靴に複数の装飾を交替で取り付けることができる。従って、本考案の装飾のみを複数準備しておくことにより、全体として低コストで複数種の装飾付きハイヒール靴を楽しむことができる。
【０００７】
しかも、本考案の装飾は弾性手段を内蔵しているため、何ら特別な固定用具を用いることなく、ヒールの周囲にそれ自体の弾性力のみで取り付けることができる。従って、この点でも低コスト化できるとともに、使用者にとっても装着が容易であるという利点がある。
【０００８】
なお、本考案に係る装飾を構成する帯状体は、ヒールに巻き付けた後に両端をフックやマジックテープ（登録商標）等で固定するようなものであってもよいが、最初から輪状となっているものの方が、ヒールの先（底）から差し込むだけで簡単に装着することができるため、便利である。
【０００９】
この帯状体の表面に宝玉等を固定することにより、本考案に係るハイヒール靴用装飾は一層華やかなものとなり、ハイヒール靴の装飾性を高める。
【００１０】
更に装飾性を高めるために、チェーン等の装飾物を付加するようにしてもよい。
【考案を実施するための最良の形態】
【００１１】
本考案に係るハイヒール靴用装飾の第１の実施例を装着したハイヒール靴を図１に示す。本実施例の装飾１０の本体は単純な輪帯状をなし、内部に細いゴムが編み込まれたニットから成る。表面には、多数の大小宝玉が整列配置されている。
【００１２】
なお、弾性手段としては、このような細いゴムを編み込んだニットの他に、単純な帯ゴム（輪ゴム）を用いることもできる。また、弾性手段は全体に内蔵させる必要はなく、ヒールを締め付ける弾性力を発揮することさえできれば、周囲の一部にのみ弾性手段が設けられていてもよい。
【００１３】
本考案に係るハイヒール靴用装飾の第２の実施例を装着したハイヒール靴を図２に示す。本実施例の装飾２０には２重のチェーン２１が取り付けられており、本装飾２０をヒールの所定箇所に固定した場合には、このチェーン２１が床に届かない程度に垂下する。本装飾２０を付したハイヒール靴を履いて歩くと、装飾そのものが目立つ上、チェーン２１が揺れることにより一層その注目度を増す。
【００１４】
なお、図３に示すように、１本のヒールに本考案に係る装飾３０、３１を２本以上取り付けてもよい。
【図面の簡単な説明】
【００１５】
【図１】本考案の第１の実施例である宝玉付装飾を装着したハイヒール靴。
【図２】本考案の第２の実施例であるチェーン付装飾を装着したハイヒール靴。
【図３】本考案に係る装飾を上下に２本装着したハイヒール靴。
【符号の説明】
【００１６】
１０、２０、３０、３１…ハイヒール用装飾
２１…チェーン
【図１】
0003123807.tif 000003
【図２】
0003123807.tif 000004
【図３】
0003123807.tif 000005
(57)【要約】【課題】  スラックスやスカート等の衣服の裾上げにおいて、熱融着樹脂を付加されたテープを使用したとき布地の表面に、内側へ折返して接着された部分のひきつれや当たりが出にくく、見た目を良くし、作業性も改善する。【解決手段】  ２枚の細幅経編テープ1のそれぞれ片面に低温熱融着樹脂2の糸を編込み又は細かく切って付加し、同テープの熱融着樹脂を設けてない裏面同志を一定の間隔をあけて細いポリエステル糸3でパイル織にして重ね合わせて１本の両面に接着面4を持たせた裾上げテープとし、スラックスやスカート等の裾を折返した部分の布地と該布地の裏側との間に挟み込みアイロンで加熱接着することにより、接着部分の幅を必要最小限にし、折返し部分の布地と該布地の裏側との間に若干の隙間があくようにした。【選択図】  図１
0003123816.tif 000002
【実用新案登録請求の範囲】
【請求項１】
２枚の細幅経編テープ１を一定の間隔をあけて細い糸3でパイル織にして重ね合せて１本とし、両面に接着面4を持たせた衣服の裾上げテープ。
【請求項２】
２枚の細幅経編テープ1のそれぞれ片面に低温熱融着樹脂2の糸を編込み又は細かく切って付加し、同テープの熱融着樹脂を設けてない裏面同志をパイル織で重ね合せて１本とした衣服の裾上げテープ。
【考案の詳細な説明】
【技術分野】
【０００１】
本考案は、スラックスやスカート等の衣服の裾上げ用として使用される裾上げテープに関するものである。
【背景技術】
【０００２】
スラックスやスカート等の裾上げは、折返しの端をほつれ止めのミシンをかけてまつり縫いをする代わりに、熱融着樹脂の付いた布製テープを折返し部分とその周辺に当てアイロンで加熱して押さえることにより接着され裾上げができるものが実用化されている。
【特許文献１】特開平８−２８４０５４
【考案の開示】
【考案が解決しようとする課題】
【０００３】
上記のような裾上げテープは、スラックスやスカート等の布地と折返し側の布地にまたがって幅広に熱融着樹脂にて接着されるので、表布地と折返し側の布地との間に裾幅の違いにより生じるひきつれを吸収しにくく、見た目も悪い。また幅広なため、一度方向をきめると修正しにくいという作業上の問題もあった。
【課題を解決するための手段】
【０００４】
本考案は、スラックスやスカート等の裾上げテープにおいて、２枚の細幅経編テープ1のそれぞれ片面に低温熱融着樹脂2を設け、同テープの熱融着樹脂を設けてない裏面同志を一定の間隔をあけて細い糸3でパイル織にして１本とし両面に接着面4を持たせたことを特徴とする衣服の裾上げテープである。
【考案の効果】
【０００５】
上記のように裾上げテープを細幅にして両面に接着面を持たせたことによって、それぞれの布地に対する接着部分を必要最小限にでき、さらにスラックスやスカート等の布地と折返し部分の布地は、該テープに設けてある細い糸によって繋ぎ止められることになるので、ひきつれや当たりが布地の表面に出るという課題は解消される。
【０００６】
本考案は、従来の裾上げテープに比べ接着部分の幅を格段に細くでき、薄い布地の柔軟性を損なうことがなく裾上げ作業が簡単にできる。また、折返し部分の端に接着することにより、ほつれ止めになり、さらに丈が合わなくなって裾上げを再度やり直すとき該テープの間の糸３を切るだけで折返し部分を剥がすことができるという効果がある。
【考案を実施するための最良の形態】
【０００７】
図1は、本考案の実施例の斜視図であり、薄手の２枚の細幅経編テープ1（例えばポリエステル素材）の片面の幅いっぱいに、長手方向に対して波状になるように低温熱融着樹脂２(例えばナイロン系樹脂)の糸を編込み又は接着したものを、同テープの熱融着樹脂を設けてない裏面同志を細い糸3（例えばポリエステル）で２枚のテープの間が２ｍｍから８ｍｍの間隔があくようにパイル織にして重ね合せることにより両面に衣類との融着面又は接着面４を構成したものである。
【図面の簡単な説明】
【０００８】
【図１】本考案による裾上げテープの一部を切り欠いた断面を示した斜視図
【図２】本考案による裾上げテープで接着する状態を示した断面図
【符号の説明】
【０００９】
１  細幅経編テープ
２  低温熱融着樹脂
３  細い糸
４  接着面
５  折返し部分
６  布地の裏側
７  アイロン
８  衣服の裾上げテープ
【図１】
0003123816.tif 000003
【図２】
0003123816.tif 000004